(57)【要約】　　　（修正有）【課題】インクの色画像の耐光性に優れ、良好な色再現性のための色調に優れたインクジェット記録液、特にマゼンタ色のインクジェット記録液を提供する。またさらに、インクの色画像の耐光性と色調の両立に加えてインクの長期使用を保証できる水系インクジェット記録液を提供する。【解決手段】一般式（１）で表されるアントラピリドン系化合物。この化合物を含有するインクジェット記録液。2004043668.tif 000022〔式中、Ｒ１およびＲ２は水素原子、アルキル基、シクロアルキル基、アリール基または複素環基を表し、Ｒ３は水素原子、アルキル基、シクロアルキル基またはアリール基を表す。Ｒ１とＲ２が結合して環を形成してもよい。Ｒ４およびＲ５は水素原子または置換基を表し、ｎ１は１〜３の整数を表し、ｎ２は１〜４の整数を表す。〕【選択図】　　　　なし【特許請求の範囲】
【請求項１】
下記一般式（１）で表されるアントラピリドン系化合物。
【化１】
2004043668.tif 000021
〔式中、Ｒ１およびＲ２は水素原子、アルキル基、シクロアルキル基、アリール基または複素環基を表し、Ｒ３は水素原子、アルキル基、シクロアルキル基またはアリール基を表す。Ｒ１とＲ２が結合して環を形成してもよい。Ｒ４およびＲ５は水素原子または置換基を表し、ｎ１は１〜３の整数を表し、ｎ２は１〜４の整数を表す。〕
【請求項２】
前記一般式（１）で表される化合物を含有することを特徴とする画像記録材料。
【請求項３】
前記一般式（１）で表される化合物を含有することを特徴とするインクジェット記録液。
【請求項４】
前記一般式（１）で表される化合物が、スルホン酸基もしくはその塩を有することを特徴とする請求項３に記載のインクジェット記録液。
【請求項５】
前記一般式（１）で表される化合物が、微粒子分散物として含有されることを特徴とする請求項３記載のインクジェット記録液。
【請求項６】
前記一般式（１）で表される化合物が油溶性ポリマーとともに微粒子分散物として含有されることを特徴とする請求項３記載のインクジェット記録液。
【発明の詳細な説明】
【０００１】
【発明の属する技術分野】
本発明は、各種樹脂、塗料、インクなどの着色材料として、更に繊維の染色の他、色素レーザ、有機ＥＬ（有機発光）素子、光ディスク用記録色素などとして有用な新規なアントラピリドン系化合物、これを含有するインクジェット記録液に関するものであり、特に、インクの色画像の色調堅牢性に優れたインクジェット記録液に関するものである。
【０００２】
【従来の技術】
インクジェット記録方式は、ピエゾ素子の電気−機械変換により液滴を圧力吐出させる方式、電気−熱変換により気泡を発生させて液滴を圧力吐出させる方式、静電力により液滴を吸引吐出させる方式等に大別される。
【０００３】
インクジェット記録液（以下、インクジェット用インク、または単に、インクともいう）においては、たとえば上記から選択されるような、その使用される記録方式に適合すること、高い記録画像濃度を有し色調が良好であること、耐光性や耐熱性および耐水性といった色画像堅牢性に優れること、被記録媒体に対して定着が速く記録後ににじまないこと、インクとしての保存性に優れていること、毒性や引火性といった安全性に問題がないこと、安価であること等が要求される。
【０００４】
このような観点から、種々のインクジェット記録液が提案、検討されているが、要求の多くを同時に満足するようなインクジェット記録液はきわめて限られている。
【０００５】
イエロー、マゼンタ、シアン、ブラックを用いたカラー画像記録においては、たとえばＣ．Ｉ．インデックスに記載されている従来から公知のＣ．Ｉ．ナンバーを有する染料、顔料が広く検討されてきた。例えば水溶性染料を用いたマゼンタのインクにおいては、Ｃ．Ｉ．アシッドレッド５２のようなキサンテン系、Ｃ．Ｉ．ダイレクトレッド２０のようなアゾ系の水溶性染料を使用したものが知られているが、これらはプリンターでの目詰まりに対する高い信頼性を有しているが、その反面、耐光性のような堅牢性および耐水性には問題を有していた。一方、Ｃ．Ｉ．ピグメントレッド１２２のようなキナクリドン系の顔料を使用したものが知られているが、これらは高い堅牢性を有するものの、印字濃度が上がらない、またはブロンジング等の色再現性の問題を起こしやすかった。このように従来からよく知られている染料や顔料では、インクジェット用インクに要求される色相と堅牢性とを両立させることは困難であった。
【０００６】
この問題点を解決すべく、特開昭５７−１９５７７５号、同５９−７４１７３号、特開平２−１６１７１号及び同１０−３０６２２１号等には色調と耐光性の両立を目的とした特定のアントラピリドン化合物およびその水性インク組成物が示されているが、日進月歩の当業界においては、そのレベルは十分ではなく、さらなる改良が望まれていた。
【０００７】
【発明が解決しようとする課題】
本発明は上記事情に鑑みてなされたものであり、本発明の目的は、インクの色画像の耐光性に優れ、良好な色再現性のための色調に優れたインクジェット記録液、特に主な対象としてはマゼンタ色のインクジェット記録液を提供することにある。またさらに本発明の目的は、インクの色画像の耐光性と色調の両立に加えてインクの長期使用を保証できる水系インクジェット記録液を提供することにある。
【０００８】
【課題を解決するための手段】
本発明の上記目的は、下記構成により達成される。
【０００９】
１．前記一般式（１）で表されるアントラピリドン系化合物。
２．前記一般式（１）で表される化合物を含有することを特徴とする画像記録材料。
【００１０】
３．前記一般式（１）で表される化合物を含有することを特徴とするインクジェット記録液。
【００１１】
４．前記一般式（１）で表される化合物が、スルホン酸基もしくはその塩を有することを特徴とする前記３に記載のインクジェット記録液。
【００１２】
５．前記一般式（１）で表される化合物が、微粒子分散物として含有されることを特徴とする前記３に記載のインクジェット記録液。
【００１３】
６．前記一般式（１）で表される化合物が油溶性ポリマーとともに微粒子分散物として含有されることを特徴とする前記３に記載のインクジェット記録液。
【００１４】
以下、本発明を詳細に説明する。
本発明に係わる一般式（１）で表される化合物（以下単に、本発明の色素ともいう）について説明する。
【００１５】
前記一般式（１）において、Ｒ１およびＲ２で表されるアルキル基としては、炭素数１〜２１のものが好ましく、直鎖でも分岐でもよい。直鎖アルキル基としては、例えば、メチル基、エチル基、プロピル基、オクチル基、ドデシル基等を挙げることができる。分岐アルキル基としては、例えば、イソプロピル基、ｔｅｒｔ−ブチル基、２−エチルヘキシル基等を挙げることができる。シクロアルキル基としては、炭素数３〜１２のものが好ましく、分岐構造を有していても良く、例えば、シクロプロピル基、シクロペンチル基、シクロヘキシル基、２−メチルシクロプロピル基、アダマンチル基等を挙げることができる。アリール基としては、例えば、フェニル基、ナフチル基等を挙げることができる。複素環基としては、例えば、ピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、トリアゾリル基、テトラゾリル基等を挙げることができる。
【００１６】
Ｒ１およびＲ２で表されるアルキル基、シクロアルキル基、アリール基及び複素環基は置換基を有しても良く、置換基としては特に制限はないが、例えば、アルキル基、シクロアルキル基、アリール基、アニリノ基、アシルアミノ基、スルホンアミド基、アルキルチオ基、アリールチオ基、アルケニル基、ハロゲン原子、シクロアルケニル基、アルキニル基、複素環基、スルホニル基、スルフィニル基、ホスホニル基、アシル基、カルバモイル基、スルファモイル基、シアノ基、アルコキシ基、アリールオキシ基、複素環オキシ基、シロキシ基、アシルオキシ基、スルホニルオキシ基、カルバモイルオキシ基、アミノ基、アルキルアミノ基、イミド基、ウレイド基、スルファモイルアミノ基、アルコキシカルボニルアミノ基、アリールオキシカルボニルアミノ基、アルコキシカルボニル基、アリールオキシカルボニル基、複素環チオ基、チオウレイド基、カルボキシ基、ヒドロキシ基、メルカプト基、ニトロ基、スルホン酸基等の各基が挙げられる。
【００１７】
Ｒ１とＲ２は結合して環を形成してもよく、形成される環としてはピロリジン環、ピペリジン環、ピペラジン環等を挙げることができる。これらの環はさらに置換基を含有してもよい。
【００１８】
Ｒ１は好ましくは水素原子およびアルキル基であり、Ｒ２は好ましくはアルキル基およびアリール基である。
【００１９】
本発明の一般式（１）において、Ｒ３で表されるアルキル基、シクロアルキル基またはアリール基は、前記一般式（１）におけるＲ１およびＲ２が表すアルキル基、シクロアルキル基またはアリール基と同義の基を表す。
【００２０】
Ｒ３で表されるアルキル基、シクロアルキル基またはアリール基は置換基を有しても良く、置換基としては前記Ｒ１およびＲ２が有してもよい置換基と同様の基を挙げることができる。
【００２１】
Ｒ３は好ましくは水素原子およびアルキル基であり、より好ましくは水素原子およびメチル基である。
【００２２】
Ｒ４およびＲ５で表される置換基は特に制限はないが、代表的には、アルキル基、アリール基、アニリノ基、アシルアミノ基、スルホンアミド基、アルキルチオ基、アリールチオ基、アルケニル基、シクロアルキル基等の各基が挙げられるが、この他にハロゲン原子及びシクロアルケニル基、アルキニル基、複素環基、スルホニル基、スルフィニル基、ホスホニル基、アシル基、カルバモイル基、スルファモイル基、シアノ基、アルコキシ基、アリールオキシ基、複素環オキシ基、シロキシ基、アシルオキシ基、スルホニルオキシ基、カルバモイルオキシ基、アミノ基、アルキルアミノ基、イミド基、ウレイド基、スルファモイルアミノ基、アルコキシカルボニルアミノ基、アリールオキシカルボニルアミノ基、アルコキシカルボニル基、アリールオキシカルボニル基、複素環チオ基、チオウレイド基、カルボキシ基、ヒドロキシ基、メルカプト基、ニトロ基、スルホン酸基等の各基、ならびにスピロ化合物残基、有橋炭化水素化合物残基等も挙げられる。これらの置換基はさらに置換基を有していてもよい。
【００２３】
Ｒ４は好ましくは水素原子、アルコキシ基、アリールオキシ基、アニリノ基およびアルキルアミノ基であり、Ｒ５は好ましくは水素原子である。
【００２４】
一般式（１）においてｎ１は１〜３の整数、ｎ２は１〜４の整数を表し、ｎ１およびｎ２が２以上のとき、複数のＲ４およびＲ５は同じであっても異なっていてもよい。
【００２５】
本発明の一般式（１）で表されるアントラピリドン系化合物は、下記一般式（２）で表される化合物であることが好ましい。
【００２６】
【化２】
2004043668.tif 000002
【００２７】
式中、Ｒ１およびＲ２は水素原子、アルキル基、シクロアルキル基、アリール基または複素環基を表すが、Ｒ１とＲ２が結合して環を形成してもよい。Ｒ６およびＲ７は水素原子または置換基を表し、ｎ３およびｎ４は１〜５の整数を表す。
【００２８】
一般式（２）において、Ｒ１およびＲ２は一般式（１）におけるＲ１およびＲ２と同義である。
【００２９】
Ｒ１は好ましくは水素原子およびアルキル基であり、Ｒ２は好ましくはアルキル基およびアリール基である。
【００３０】
Ｒ６およびＲ７で表される置換基としては、一般式（１）におけるＲ４およびＲ５が表す置換基と同様の基を挙げることができる。
【００３１】
Ｒ６は好ましくは、水素原子、アルキル基、スルホン酸基およびスルホン酸の塩であり、Ｒ７は好ましくは、水素原子、アルキル基、アルコキシ基、ハロゲン原子、スルホン酸基およびスルホン酸の塩である。
【００３２】
一般式（２）において、ｎ３およびｎ４は１〜５の整数を表すが、ｎ３およびｎ４が２以上のとき、複数のＲ６およびＲ７は同じであっても異なっていてもよい。
【００３３】
以下に、本発明の一般式（１）および（２）で表される化合物の具体的化合物例を示すが、本発明はこれらに限定されない。
【００３４】
尚、下記構造式中のＭは、ナトリウム塩、カリウム塩、１／２カルシウム塩、もしくは、アンモニウム塩などのカチオンを表す。
【００３５】
【化３】
2004043668.tif 000003
【００３６】
【化４】
2004043668.tif 000004
【００３７】
【化５】
2004043668.tif 000005
【００３８】
【化６】
2004043668.tif 000006
【００３９】
【化７】
2004043668.tif 000007
【００４０】
【化８】
2004043668.tif 000008
【００４１】
【化９】
2004043668.tif 000009
【００４２】
【化１０】
2004043668.tif 000010
【００４３】
【化１１】
2004043668.tif 000011
【００４４】
【化１２】
2004043668.tif 000012
【００４５】
以下に、本発明の一般式（１）で表される化合物の合成例を示す。
《合成例》
ｉ）例示化合物１−２の合成
例示化合物１−２は下記スキームに従って合成した。
【００４６】
【化１３】
2004043668.tif 000013
【００４７】
１４．３ｇの化合物Ａ、１２．６ｇの化合物Ｂおよび０．３２ｇの炭酸ナトリウムにオルトジクロロベンゼン１７ｍｌを加え、約１７０℃に加熱し、生成する水を留去しながら３時間反応させる。反応終了後、得られた反応液をカラムクロマトグラフィー（シリカゲル、展開溶媒：酢酸エチル／トルエン）により精製し、赤色の固体１３．３ｇを得た。
【００４８】
得られた固体の１Ｈ−ＮＭＲによる分析結果は以下の通りであり、例示化合物１−２であることが確認された。
１Ｈ−ＮＭＲ（４００ＭＨｚ，重水素化ジメチルスルホキシド，δ（ｐｐｍ））：０．６２（ｓ，９Ｈ），１．３４（ｓ，６Ｈ），１．７２（ｓ，２Ｈ），６．８１（ｓ，１Ｈ），７．１０−７．３４（ｍ，８Ｈ），７．４２（ｔ，２Ｈ），７．４９（ｄ，２Ｈ），７．７１−７．８０（ｍ，４Ｈ），８．５４（ｍ，２Ｈ），１０．８３（ｓ，１Ｈ）
また、アセトン中でのλｍａｘは５３８ｎｍであった。
【００４９】
ｉｉ）例示化合物１−９の合成
例示化合物１−９は下記スキームに従って合成した。
【００５０】
【化１４】
2004043668.tif 000014
【００５１】
１５．０ｇの化合物Ａ、１２．６ｇの化合物Ｃおよび０．３３ｇの炭酸ナトリウムにオルトジクロロベンゼン１８ｍｌを加え、約１７０℃に加熱し、生成するエタノール及び水を留去しながら３時間反応させる。反応終了後、得られた反応液をカラムクロマトグラフィー（シリカゲル、展開溶媒：酢酸エチル／トルエン）により精製し、赤色の固体１５．６ｇを得た。
【００５２】
得られた固体の１Ｈ−ＮＭＲによる分析結果は以下の通りであり、例示化合物１−９であることが確認された。
１Ｈ−ＮＭＲ（４００ＭＨｚ，重水素化ジメチルスルホキシド，δ（ｐｐｍ））：０．６２（ｓ，９Ｈ），１．３４（ｓ，６Ｈ），１．７３（ｓ，２Ｈ），６．８０（ｓ，１Ｈ），７．１１（ｔ，１Ｈ），７．２１−７．３５（ｍ，７Ｈ），７．４９（ｍ，３Ｈ），７．５８（ｄｄ，１Ｈ），７．８２（ｍ，２Ｈ），８．０１（ｄｄ，１Ｈ），８．５５（ｄｄ，１Ｈ），８．６８（ｍ，１Ｈ），１０．５７（ｓ，１Ｈ）
アセトン中でのλｍａｘは５３９ｎｍであった。
【００５３】
ｉｉｉ）例示化合物１−１９の合成
例示化合物１−１９は下記スキームに従って合成した。
【００５４】
【化１５】
2004043668.tif 000015
【００５５】
１５．０ｇの化合物Ａ、１９．８ｇの化合物Ｄおよび０．３１ｇの炭酸ナトリウムにオルトジクロロベンゼン３０ｍｌを加え、約１７０℃に加熱し、生成する水を留去しながら３時間反応させる。反応終了後、得られた反応液をカラムクロマトグラフィー（シリカゲル、展開溶媒：酢酸エチル／トルエン）により精製し、赤色の固体１４．５ｇを得た。
【００５６】
得られた固体の１Ｈ−ＮＭＲによる分析結果は以下の通りであり、例示化合物１−１９であることが確認された。
１Ｈ−ＮＭＲ（４００ＭＨｚ，重水素化ジメチルスルホキシド，δ（ｐｐｍ））：０．６０（ｓ，９Ｈ），１．１９（ｔ，３Ｈ），１．３２（ｓ，６Ｈ），１．７１（ｓ，２Ｈ），４．０４（ｑ，２Ｈ），６．７７（ｓ，１Ｈ），７．０１−７．３２（ｍ，１０Ｈ），７．４７（ｄ，２Ｈ），７．７５（ｍ，２Ｈ），８．１８（ｍ，２Ｈ），８．５１（ｄｄ，１Ｈ），８．５８（ｄｄ，１Ｈ），９．９９（ｓ，１Ｈ）
アセトン中でのλｍａｘは５３７ｎｍであった。
【００５７】
本発明の色素は単独で用いても、本発明の色素を２種以上併用させて用いても、また、本発明外の色素と併用させて用いても良い。
【００５８】
本発明の色素を含有するインクジェット記録液は水系溶媒、油系溶媒、固体（相変化）溶媒等の種々の溶媒系を用いることができ、特に水系溶媒で本発明の効果を発揮する。
【００５９】
水系溶媒としては、水（例えば、イオン交換水が好ましい）と水溶性有機溶媒を一般に使用する。
【００６０】
水溶性有機溶媒の例としては、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等が挙げられる。
【００６１】
上記のような水系溶媒は、本発明の色素がその溶媒系に可溶であればそのまま溶解して用いることができる。この場合、本発明の色素の水系溶媒への溶解性が重要であり、本発明の化合物が、スルホン酸基もしくはその塩を少なくとも１つ以上有することが好ましく、スルホン酸基もしくはその塩を少なくとも２つ以上有することがさらに好ましい。
【００６２】
一方、本発明の色素が、その溶媒系にそのままでは不溶の固体である場合、色素を種々の分散機（例えば、ボールミル、サンドミル、アトライター、ロールミル、アジテーターミル、ヘンシェルミキサー、コロイドミル、超音波ホモジナイザー、パールミル、ジェットミル、オングミル等）を用いて微粒子化するか、あるいは可溶である有機溶媒に色素を溶解した後に、高分子分散剤や界面活性剤とともにそのままでは不溶の溶媒系に分散させることができる。さらに、溶媒系がそのままでは不溶の液体または半溶融状物である場合にも、そのままかあるいは可溶である有機溶媒に溶解して、高分子分散剤や界面活性剤とともにその溶媒系に分散させることができる。
【００６３】
本発明の色素が、その溶媒系に不溶である場合には、微粒子化させてその溶媒系に分散させることが好ましく、１５０ｎｍ以下の微粒子に分散されていることがさらに好ましい。
【００６４】
また、本発明の色素は、可溶である有機溶媒に色素を溶解した後に、油溶性ポリマーとともに微粒子分散物として水系溶媒に分散させることが好ましい。
【００６５】
このようなインクジェット記録液用に使用される水系溶媒の具体的調製法については、例えば特開平５−１４８４３６号、同５−２９５３１２号、同７−９７５４１号、同７−８２５１５号、同７−１１８５８４号等に記載の方法を参照することができる。
【００６６】
次に、本発明に係る油溶性ポリマーについて説明する。
前記油溶性ポリマーとしては、特に制限はなく、目的に応じて適宜選択することができるが、ビニルポリマーが好適に挙げられる。該ビニルポリマーとしては、従来公知のものが挙げられ、水不溶性型、水分散（自己乳化）型、水溶性型の何れのものであってもよいが、着色微粒子の製造容易性、分散安定性等の点で水分散型のビニルポリマーが好ましい。
【００６７】
該水分散型のビニルポリマーとしては、イオン解離型のもの、非イオン性分散性基含有型のもの、あるいはこれらの混合型のもののいずれであってもよい。前記イオン解離型のビニルポリマーとしては、三級アミノ基などのカチオン性の解離性基を含有するビニルポリマーや、カルボン酸、スルホン酸などのアニオン性の解離性基を含有するビニルポリマーが挙げられる。前記非イオン性分散性基含有型のビニルポリマーとしては、ポリエチレンオキシ鎖などの非イオン性分散性基を含有するビニルポリマーが挙げられる。これらの中でも、着色微粒子の分散安定性の点で、アニオン性の解離性基を含有するイオン解離型のビニルポリマー、非イオン性分散性基含有型のビニルポリマー、混合型のビニルポリマーが好ましい。
【００６８】
前記ビニルポリマーを形成するモノマーとしては、例えば、以下のものが挙げられる。
【００６９】
即ち、アクリル酸エステル類、具体的には、メチルアクリレート、エチルアクリレート、ｎ−プロピルアクリレート、イソプロピルアクリレート、ｎ−ブチルアクリレート、イソブチルアクリレート、ｓｅｃ−ブチルアクリレート、ｔｅｒｔ−ブチルアクリレート、アミルアクリレート、ヘキシルアクリレート、２−エチルヘキシルアクリレート、オクチルアクリレート、ｔｅｒｔ−オクチルアクリレート、２−クロロエチルアクリレート、２−ブロモエチルアクリレート、４−クロロブチルアクリレート、シアノエチルアクリレート、２−アセトキシエチルアクリレート、ベンジルアクリレート、メトキシベンジルアクリレート、２−クロロシクロヘキシルアクリレート、シクロヘキシルアクリレート、フルフリルアクリレート、テトラヒドロフルフリルアクリレート、フェニルアクリレート、５−ヒドロキシペンチルアクリレート、２，２−ジメチル−３−ヒドロキシプロピルアクリレート、２−メトキシエチルアクリレート、３−メトキシブチルアクリレート、２−エトキシエチルアクリレート、２−ブトキシエチルアクリレート、２−（２−メトキシエトキシ）エチルアクリレート、２−（２−ブトキシエトキシ）エチルアクリレート、グリシジルアクリレート、１−ブロモ−２−メトキシエチルアクリレート、１，１−ジクロロ−２−エトキシエチルアクリレート、２，２，２−テトラフルオロエチルアクリレート、１Ｈ，１Ｈ，２Ｈ，２Ｈ−パーフルオロデシルアクリレート等；
メタクリル酸エステル類、具体的には、メチルメタクリレート、エチルメタクリレート、ｎ−プロピルメタクリレート、イソプロピルメタクリレート、ｎ−ブチルメタクリレート、イソブチルメタクリレート、ｓｅｃ−ブチルメタクリレート、ｔｅｒｔ−ブチルメタクリレート、アミルメタクリレート、ヘキシルメタクリレート、シクロヘキシルメタクリレート、ベンジルメタクリレート、クロロベンジルメタクリレート、オクチルメタクリレート、ステアリルメタクリレート、２−（３−フェニルプロピルオキシ）エチルメタクリレート、フルフリルメタクリレート、テトラヒドロフルフリルメタクリレート、フェニルメタクリレート、クレジルメタクリレート、ナフチルメタクリレート、２−ヒドロキシエチルメタクリレート、４−ヒドロキシブチルメタクリレート、トリエチレングリコールモノメタクリレート、ジプロピレングリコールモノメタクリレート、２−メトキシエチルメタクリレート、３−メトキシブチルメタクリレート、２−エトキシエチルメタクリレート、２−ｉｓｏ−プロポキシエチルメタクリレート、２−ブトキシエチルメタクリレート、２−（２−メトキシエトキシ）エチルメタクリレート、２−（２−エトキシエトキシ）エチルメタクリレート、２−（２−ブトキシエトキシ）エチルメタクリレート、２−アセトキシエチルメタクリレート、２−アセトアセトキシエチルメタクリレート、アリルメタクリレート、グリシジルメタクリレート、２，２，２−テトラフルオロエチルメタクリレート、１Ｈ，１Ｈ，２Ｈ，２Ｈ−パーフルオロデシルメタクリレート等；
ビニルエステル類、具体的には、ビニルアセテート、ビニルプロピオネート、ビニルブチレート、ビニルイソブチレート、ビニルカプロエート、ビニルクロロアセテート、ビニルメトキシアセテート、ビニルフェニルアセテート、安息香酸ビニル、サリチル酸ビニル等；
アクリルアミド類、具体的には、アクリルアミド、メチルアクリルアミド、エチルアクリルアミド、プロピルアクリルアミド、ブチルアクリルアミド、ｔｅｒｔ−ブチルアクリルアミド、ｔｅｒｔ−オクチルアクリルアミド、シクロヘキシルアクリルアミド、ベンジルアクリルアミド、ヒドロキシメチルアクリルアミド、メトキシメチルアクリルアミド、ブトキシメチルアクリルアミド、メトキシエチルアクリルアミド、フェニルアクリルアミド、ジメチルアクリルアミド、ジエチルアクリルアミド、β−シアノエチルアクリルアミド、Ｎ−（２−アセトアセトキシエチル）アクリルアミド、ジアセトンアクリルアミド等；
メタクリルアミド類、具体的には、メタクリルアミド、メチルメタクリルアミド、エチルメタクリルアミド、プロピルメタクリルアミド、ブチルメタクリルアミド、ｔｅｒｔ−ブチルメタクリルアミド、シクロヘキシルメタクリルアミド、ベンジルメタクリルアミド、ヒドロキシメチルメタクリルアミド、メトキシエチルメタクリルアミド、フェニルメタクリルアミド、ジメチルメタクリルアミド、β−シアノエチルメタクリルアミド、Ｎ−（２−アセトアセトキシエチル）メタクリルアミド等；
オレフィン類、具体的には、ジシクロペンタジエン、エチレン、プロピレン、１−ブテン、１−ペンテン、塩化ビニル、塩化ビニリデン、イソプレン、クロロプレン、ブタジエン、２，３−ジメチルブタジエン等、スチレン類、例えば、スチレン、メチルスチレン、ジメチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル等；
ビニルエーテル類、具体的には、メチルビニルエーテル、ブチルビニルエーテル、ヘキシルビニルエーテル、メトキシエチルビニルエーテル等；
その他のモノマーとして、クロトン酸ブチル、クロトン酸ヘキシル、イタコン酸ジメチル、イタコン酸ジブチル、マレイン酸ジエチル、マレイン酸ジメチル、マレイン酸ジブチル、フマル酸ジエチル、フマル酸ジメチル、フマル酸ジブチル、メチルビニルケトン、フェニルビニルケトン、メトキシエチルビニルケトン、Ｎ−ビニルオキサゾリドン、Ｎ−ビニルピロリドン、ビニリデンクロライド、メチレンマロンニトリル、ビニリデン、ジフェニル−２−アクリロイルオキシエチルホスフェート、ジフェニル−２−メタクリロイルオキシエチルホスフェート、ジブチル−２−アクリロイルオキシエチルホスフェート、ジオクチル−２−メタクリロイルオキシエチルホスフェート等が挙げられる。
【００７０】
また、解離性基を有するモノマーとしては、アニオン性の解離性基を有するモノマー、カチオン性の解離性基を有するモノマーが挙げられる。
【００７１】
前記アニオン性の解離性基を有するモノマーとしては、例えば、カルボン酸モノマー、スルホン酸モノマー、リン酸モノマー等が挙げられる。
【００７２】
前記カルボン酸モノマーとしては、例えば、アクリル酸、メタクリル酸、イタコン酸、マレイン酸、フマル酸、シトラコン酸、クロトン酸、イタコン酸モノアルキルエステル（例えば、イタコン酸モノメチル、イタコン酸モノエチル、イタコン酸モノブチルなど）、マレイン酸モノアルキルエステル（例えば、マレイン酸モノメチル、マレイン酸モノエチル、マレイン酸モノブチルなど）などが挙げられる。
【００７３】
前記スルホン酸モノマーとしては、例えば、スチレンスルホン酸、ビニルスルホン酸、アクリロイルオキシアルキルスルホン酸（例えば、アクリロイルオキシメチルスルホン酸、アクリロイルオキシエチルスルホン酸、アクリロイルオキシプロピルスルホン酸など）、メタクリロイルオキシアルキルスルホン酸（例えば、メタクリロイルオキシメチルスルホン酸、メタクリロイルオキシエチルスルホン酸、メタクリロイルオキシプロピルスルホン酸など）、アクリルアミドアルキルスルホン酸（例えば、２−アクリルアミド−２−メチルエタンスルホン酸、２−アクリルアミド−２−メチルプロパンスルホン酸、２−アクリルアミド−２−メチルブタンスルホン酸など）、メタクリルアミドアルキルスルホン酸（例えば、２−メタクルリアミド−２−メチルエタンスルホン酸、２−メタクリルアミド−２−メチルプロパンスルホン酸、２−メタクリルアミド−２−メチルブタンスルホン酸など）などが挙げられる。
【００７４】
前記リン酸モノマーとしては、例えば、ビニルホスホン酸、メタクリロイルオキシエチルホスホン酸などが挙げられる。
【００７５】
これらの中でも、アクリル酸、メタクリル酸、スチレンスルホン酸、ビニルスルホン酸、アクリルアミドアルキルスルホン酸、メタクリルアミドアルキルスルホン酸が好ましく、アクリル酸、メタクリル酸、スチレンスルホン酸、２−アクリルアミド−２−メチルプロパンスルホン酸、２−アクリルアミド−２−メチルブタンスルホン酸がより好ましい。
【００７６】
前記カチオン性の解離性基を有するモノマーとしては、例えば、ジアルキルアミノエチルメタクリレート、ジアルキルアミノエチルアタクリレートなどの３級アミノ基を有するモノマーが挙げられる。
【００７７】
また、非イオン性分散性基を含有するモノマーとしては、例えば、ポリエチレングリコールモノアルキルエーテルとカルボン酸モノマーとのエステル、ポリエチレングリコールモノアルキルエーテルとスルホン酸モノマーとのエステル、ポリエチレングリコールモノアルキルエーテルとリン酸モノマーとのエステル、ポリエチレングリコールモノアルキルエーテルとイソシアネート基含有モノマーから形成されるビニル基含有ウレタン、ポリビニルアルコール構造を含有するマクロモノマーなどが挙げられる。前記ポリエチレングリコールモノアルキルエーテルのエチレンオキシ部の繰り返し数としては、８〜５０が好ましく、１０〜３０がより好ましい。前記ポリエチレングリコールモノアルキルエーテルのアルキル基の炭素原子数としては、１〜２０が好ましく、１〜１２がより好ましい。
【００７８】
これらのモノマーは、１種単独で使用されてビニルポリマーが形成されていてもよいし、２種以上が併用されてビニルポリマーが形成されていてもよく、前記ビニルポリマーの目的（Ｔｇ調節、溶解性改良、分散物安定性等）に応じて適宜選択することができる。
【００７９】
本発明において、前記色素を溶解した後に、油溶性ポリマーとともに微粒子分散物として水系溶媒に分散させる有機溶媒としては油系溶媒が好ましく、油系溶媒の溶媒の例としては、上記水系溶媒において水溶性有機溶媒として例示したものに加えて、アルコール類（例えば、ペンタノール、ヘプタノール、オクタノール、フェニルエチルアルコール、フェニルプロピルアルコール、フルフリルアルコール、アニルアルコール、セチルアルコール、オレイルアルコール、オクタデシルアルコール等）、エステル類（エチレングリコールジアセテート、エチレングリコールモノメチルエーテルアセテート、ジエチレングリコールモノメチルエーテルアセテート、プロピレングリコールジアセテート、酢酸エチル、酢酸プロピル、酢酸ブチル、酢酸アミル、酢酸ベンジル、酢酸フェニルエチル、酢酸フェノキシエチル、フェニル酢酸エチル、プロピオン酸ベンジル、安息香酸エチル、安息香酸ブチル、ラウリン酸ブチル、ミリスチン酸イソプロピル、リン酸トリエチル、リン酸トリブチル、リン酸トリ（２−エチルヘキシル）、リン酸トリフェニル、リン酸トリクレジル、フタル酸ジエチル、フタル酸ジブチル、フタル酸ジウンデシル、マロン酸ジエチル、マロン酸ジプロピル、ジエチルマロン酸ジエチル、コハク酸ジエチル、コハク酸ジブチル、グルタル酸ジエチル、アジピン酸ジエチル、アジピン酸ジプロピル、アジピン酸ジブチル、アジピン酸ジ（２−メトキシエチル）、セバシン酸ジエチル、マレイン酸ジエチル、マレイン酸ジブチル、マレイン酸ジオクチル、フマル酸ジエチル、フマル酸ジオクチル、ケイ皮酸−３−ヘキセニル、クエン酸トリブチル等）、エーテル類（例えば、ブチルフェニルエーテル、ベンジルエチルエーテル、ヘキシルエーテル等）、ケトン類（例えば、ベンジルメチルケトン、ベンジルアセトン、ジアセトンアルコール、シクロヘキサノン等）、炭化水素類（例えば、石油エーテル、石油ベンジル、テトラリン、デカリン、ターシャリーアミルベンゼン、ジメチルナフタリン等）、アミド類（例えば、Ｎ，Ｎ−ジエチルドデカンアミド、Ｎ，Ｎ−ジブチルドデカンアミド等）が挙げられる。
【００８０】
上記のような油系溶媒は、本発明の色素をそのまま溶解させて用いることができ、また樹脂状分散剤や結合剤を併用して分散または溶解させて用いることもできる。
【００８１】
このようなインクジェット記録液に使用される油系溶媒の具体的調製法については、特開平３−２３１９７５号、特表平５−５０８８８３号に記載の方法を参照することができる。
【００８２】
本発明に使用される溶媒としては、溶媒として室温で固体であり、かつインクジェット記録液の加熱噴射時には溶融した液体状である固体（相変化）溶媒を使用することが出来る。
【００８３】
このような相変化溶媒としては、天然ワックス（例えば、密ロウ、カルナウバワックス、ライスワックス、木ロウ、ホホバ油、鯨ロウ、カンデリラワックス、ラノリン、モンタンワックス、オゾケライト、セレシン、パラフィンワックス、マイクロクリスタリンワックス、ペトロラクタム等）、ポリエチレンワックス誘導体、塩素化炭化水素、有機酸（例えば、パルミチン酸、ステアリン酸、ベヘン酸、チグリン酸、２−アセトナフトンベヘン酸、１２−ヒドロキシステアリン酸、ジヒドロキシステアリン酸等）、有機酸エステル（例えば、上記した有機酸のグリセリン、ジエチレングリコール、エチレングリコール等のアルコールとのエステル等）、アルコール（例えば、ドデカノール、テトラデカノール、ヘキサデカノール、エイコサノール、ドコサノール、テトラコサノール、ヘキサコサノール、オクタコサノール、ドデセノール、ミリシルアルコール、テトラセノール、ヘキサデセノール、エイコセノール、ドコセノール、ピネングリコール、ヒノキオール、ブチンジオール、ノナンジオール、イソフタリルアルコール、メシセリン、テレアフタリルアルコール、ヘキサンジオール、デカンジオール、ドデカンジオール、テトラデカンジオール、ヘキサデカンジオール、ドコサンジオール、テトラコサンジオール、テレビネオール、フェニルグリセリン、エイコサンジオール、オクタンジオール、フェニルプロピレングリコール、ビスフェノールＡ、パラアルファクミルフェノール等）、ケトン（例えば、ベンゾイルアセトン、ジアセトベンゼン、ベンゾフェノン、トリコサノン、ヘプタコサノン、ヘプタトリアコンタノン、ヘントリアコンタノン、ヘプタトリアコンタノン、ステアロン、ラウロン、ジアニソール等）、アミド（例えば、オレイン酸アミド、ラウリル酸アミド、ステアリン酸アミド、リシノール酸アミド、パルミチン酸アミド、テトラヒドロフラン酸アミド、エルカ酸アミド、ミリスチン酸アミド、１２−ヒドロキシステアリン酸アミド、Ｎ−ステアリルエルカ酸アミド、Ｎ−オレイルステアリン酸アミド、Ｎ，Ｎ′−エチレンビスラウリン酸アミド、Ｎ，Ｎ′−エチレンビスステアリン酸アミド、Ｎ，Ｎ′−エチレンビスオレイン酸アミド、Ｎ，Ｎ′−メチレンビスステアリン酸アミド、Ｎ，Ｎ′−エチレンビスベヘン酸アミド、Ｎ，Ｎ′−キシリレンビスステアリン酸アミド、Ｎ，Ｎ′−ブチレンビスステアリン酸アミド、Ｎ，Ｎ′−ジオレイルアジピン酸アミド、Ｎ，Ｎ′−ジステアリルアジピン酸アミド、Ｎ，Ｎ′−ジオレイルセバシン酸アミド、Ｎ，Ｎ′−システアリルセバシン酸アミド、Ｎ，Ｎ′−ジステアリルテレフタル酸アミド、Ｎ，Ｎ′−ジステアリルイソフタル酸アミド、フェナセチン、トルアミド、アセトアミド、オレイン酸２量体／エチレンジアミン／ステアリン酸（１：２：２のモル比）のような２量体酸とジアミンと脂肪酸の反応生成物テトラアミド等）、スルホンアミド（例えば、パラトルエンスルホンアミド、エチルベンゼンスルホンアミド、ブチルベンゼンスルホンアミド等）、シリコーン類（例えば、シリコーンＳＨ６０１８（東レシリコーン）、シリコーンＫＲ２１５、２１６、２２０（信越シリコーン）等）、クマロン類（例えば、エスクロンＧ−９０（新日鐵化学）等）、コレステロール脂肪酸エステル（例えば、ステアリン酸コレステロール、パルミチン酸コレステロール、ミリスチン酸コレステロール、ベヘン酸コレステロール、ラウリン酸コレステロール、メリシン酸コレステロール等）、糖類脂肪酸エステル（ステアリン酸サッカロース、パルミチン酸サッカロース、ベヘン酸サッカロース、ラウリン酸サッカロース、メリシン酸サッカロース、ステアリン酸ラクトース、パルミチン酸ラクトース、ミリスチン酸ラクトース、ベヘン酸ラクトース、ラウリン酸ラクトース、メリシン酸ラクトース等）が挙げられる。
固体（相変化）溶媒の固体−液体相変化における相変化温度は、６０℃〜２００℃であることが好ましく、８０〜１５０℃であることがより好ましい。
【００８４】
上記のような固体（相変化）溶媒は、加熱した溶融状態の溶媒に本発明の色素をそのまま溶解させて用いることができ、また樹脂状分散剤や結合剤を併用して分散または溶解させて用いることもできる。
【００８５】
このような相変化溶媒の具体的調製法については、特開平５−１８６７２３号、同７−７０４９０号に記載の方法を参照することができる。
【００８６】
上記したような水系、油系、固体（相変化）溶媒を使用し本発明の色素を溶解した本発明のインクジェット記録液は、その飛翔時の粘度として４０×１０−３Ｐａ・ｓ以下が好ましく、３０×１０−３Ｐａ・ｓ以下であることがより好ましい。
【００８７】
また、上記本発明のインクジェット記録液は、その飛翔時の表面張力として２０×１０−５〜１００×１０−５Ｎ／ｃｍが好ましく、３０×１０−５〜８０×１０−５Ｎ／ｃｍであることがより好ましい。
【００８８】
本発明の色素は、インクジェット記録液の０．１〜２５質量％の範囲で使用されることが好ましく、０．５〜１０質量％の範囲であることがより好ましい。
本発明に使用される樹脂型分散剤としては、分子量１，０００〜１，０００，０００の高分子化合物が好ましく、これらは使用される場合にはインクジェット記録液中に０．１〜５０質量％含有されることが好ましい。
【００８９】
本発明のインクジェット記録液には、吐出安定性、プリントヘッドやインクカートリッジ適合性、保存安定性、画像保存性、その他の諸性能向上の目的に応じて、粘度調整剤、表面張力調整剤、比抵抗調整剤、皮膜形成剤、分散剤、界面活性剤、紫外線吸収剤、酸化防止剤、退色防止剤、防ばい剤、防錆剤等を添加することもできる。
【００９０】
本発明のインクジェット記録液は、その使用する記録方式に関して特に制約はないが、特にオンデマンド方式のインクジェットプリンタ用のインクジェット記録液として好ましく使用することができる。オンデマンド型方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（Ｒ）型等）、静電吸引方式（例えば、電界制御型、スリットジェット型等）、放電方式（例えば、スパークジェット型等）などを具体的な例として挙げることができる。
【００９１】
【実施例】
以下、実施例を挙げて本発明を具体的に説明するが、本発明の態様はこれに限定されない。
【００９２】
実施例１
（水系インクの作製）
表１に記載の色素について、色素の含有量が、仕上がりインクとして２質量％になる量を秤量し、これに、エチレングリコール１５％、グリセリン１５％、サーフィノール４６５（日信化学工業社製）０．３％、残りが純水になるように調整して純水を加え、混合分散し、更に２μｍのメンブランフィルターによって濾過し、ゴミ及び粗大粒子を除去して表１に示すようなインクジェット用インクＮｏ．１〜５を得た。
【００９３】
（画像試料の作成および評価）
更に、各インクを市販のエプソン製インクジェットプリンター（ＰＭ−８００）を用いてコニカフォトジェットペーパー　Ｐｈｏｔｏｌｉｋｅ　ＱＰ　光沢紙（コニカ株式会社製）にプリントし、得られた画像試料の画像の耐光性、色調および保存性の評価を行った。また、インクの保存性についても試験を行った。
【００９４】
耐光性：
キセノンフェードメーターにて、未曝露試料の可視領域極大吸収波長における反射スペクトル濃度（未曝露試料極大吸収波長濃度）を測定し、また該未曝露試料を２４時間曝露した後の試料の可視領域極大吸収波長における反射スペクトル濃度（曝露試料極大吸収波長濃度）を測定し、２４時間曝露した後の画像試料の未曝露画像試料に対する可視領域極大吸収波長における反射スペクトル濃度の低下率として耐光性を下式から求めた。
【００９５】
耐光性（％）＝（曝露試料極大吸収波長濃度／未曝露試料極大吸収波長濃度）×１００
色調：
画像試料の３９０〜７３０ｎｍ領域のインターバル１０ｎｍによる反射スペクトルを測定し、これをＣＩＥ　Ｌ＊ａ＊ｂ＊色空間系に基づいて、ａ＊、ｂ＊を算出した。
【００９６】
マゼンタとして好ましい色調を下記のように定義し、下記３段階の評価基準により評価した。
【００９７】
好ましいａ＊：７６以上、好ましいｂ＊：−３０以上０以下
○：ａ＊、ｂ＊ともに好ましい領域
△：ａ＊、ｂ＊の一方のみ好ましい領域
×：ａ＊、ｂ＊のいづれも好ましい領域外
インクの保存性：
インクを８０℃で１週間、密閉ガラス容器中に保存後、上記画像試料の作製の場合と同様にして画像を作製し、５００時間の連続噴出における噴出異常の有無を観察した。また該画像について色調の評価を上記と同様にして行って、インクの保存性を下記の評価基準により評価した。
【００９８】
○：連続噴出に異常がなく、また未保存インクからの色調変化がａ＊、ｂ＊ともに±１０未満である
×：連続噴出に異常が認められる、または、未保存インクからの色調変化がａ＊またはｂ＊の少なくとも一方に±１０以上認められる
結果を表１に示す。
【００９９】
【表１】
2004043668.tif 000016
【０１００】
【化１６】
2004043668.tif 000017
【０１０１】
表１から明らかなように、本発明のインクは、比較のインクに比してインクの保存性、また、画像の耐光性、色調の全ての面で優れていることがわかる。
【０１０２】
実施例２
（微粒子分散物の作製）
表２記載の色素１０ｇ、メチルエチルケトン２０ｇ、グリセリン５ｇ、スチレン／アクリル酸／２−ヒドロキシエチルメタクリレート＝８０／５／１５の中和済み樹脂を６ｇ、イオン交換水４０ｇの混合液に、平均粒子径が０．５ｍｍのジルコニアビーズ２５０ｇを加え、メディア分散機（システムゼータ；（株）アシザワ製）を用いて４時間分散を行った。分散終了後、ジルコニアビーズを濾別して顔料分散液を得た。この分散液に水４０ｍｌを加えて希釈した後、減圧留去によりメチルエチルケトンを除去し顔料の微粒子分散物を得た。
【０１０３】
（水系インクの作製）
色素の含有量がインクの仕上がり量に対して３質量％になる量の上記微粒子分散物を秤量し、エチレングリコール１５質量％、グリセリン１５質量％、トリエチレングリコールモノブチルエーテル３質量％、サーフィノール４６５を０．３質量％、残りが純水になるように調整して純水を加え、混合分散し、更に２μｍのメンブランフィルターによって濾過し、ゴミ及び粗大粒子を除去して表２に示すようにインクジェット用インクＮｏ．６〜１０を得た。
【０１０４】
（画像試料の作成および評価）
それぞれのインクを６０℃で７日間保存した際の平均粒子径変化率、保存後のインクの濾過性、更に、実施例１と同様にして各インクを用いてプリントした画像試料の画像の色調を評価した。
【０１０５】
インクの平均粒子径変化率：
インクを６０℃で７日間保管し、大塚電子製レーザー粒径解析システムを用いて保存後のインクの平均（体積平均）粒子径を求め、同様にして求めた未保存の場合のインクの平均粒子径との平均粒子径変化率を下式にて求め、下記基準により評価した。
【０１０６】
平均粒子径変化率（％）＝｛（保存後のインクの平均粒子径−未保存のインクの平均粒子径）／（未保存のインクの平均粒子径）｝×１００
×：１０％以上（実用不可レベル）
○：５％〜１０％未満（実用許容レベル）
◎：粒子径変化率が５％未満
インクの濾過性：
インクを６０℃７日間保管した後に、５ｍｌ採取し、０．８μｍのセルロースアセテートメンブランフィルターで濾過を行い、全量濾過できたものを◎、半量以上濾過できたものを○（許容レベル）、半量未満しか濾過ができなかったものを×（不可レベル）として評価した。
【０１０７】
画像の色調：
実施例１と同様にして評価した。
【０１０８】
結果を表２に示す。
【０１０９】
【表２】
2004043668.tif 000018
【０１１０】
【化１７】
2004043668.tif 000019
【０１１１】
表２から明らかなように、本発明のインクは、比較のインクに比して、保存後のインクの平均粒子径変化率、インクの濾過性（即ち、インクの保存安定性）、また、インクの画像の色調の面で優れていることがわかる。
【０１１２】
実施例３
（着色微粒子分散物の作製）
表３に示す色素５ｇ、５ｇのポリビニルブチラール（積水化学製ＢＬ−Ｓ、平均重合度３５０）及び５０ｇの酢酸エチルをセパラブルフラスコに入れ、フラスコ内をＮ２ガスで置換後、攪拌して上記ポリマー及び色素を完全溶解させた。ラウリル硫酸ナトリウム２ｇを含む水溶液１００ｇを滴下後、超音波分散機（ＵＨ−１５０型、株式会社エスエムテー製）を用いて、３００秒間乳化した。その後、減圧下で酢酸エチルを除去し、上記色素を含浸する着色微粒子の分散液を得た。この分散液に０．１５ｇの過硫酸カリウムを加えて溶解し、ヒーターを付して７０℃に加温後、更に２ｇのスチレン及び１ｇの２−ヒドロキシエチルメタクリレートの混合液を滴下しながら７時間反応させてコアシェル型の着色微粒子分散物を得た。
【０１１３】
（水系インクの作製）
色素の含有量がインクの仕上がり量に対して２質量％になる量の上記着色微粒子分散物を秤量し、これに、エチレングリコール１５質量％、グリセリン１５質量％、トリエチレングリコールモノブチルエーテル３質量％、サーフィノール４６５を０．３質量％、残りが純水になるように調整して純水を加え混合分散し、更に２μｍのメンブランフィルターによって濾過し、ゴミ及び粗大粒子を除去して表３に示すようにインクジェット用インクＮｏ．１１〜１３を得た。
【０１１４】
（画像試料の作製および評価）
実施例２と同様にそれぞれのインクを６０℃で７日間保存した際の平均粒子径変化率、保存後のインクの濾過性、更に、実施例１と同様に各インクを用いて作製した画像試料の画像についての色調および耐光性を評価した。
【０１１５】
結果を表３に示す。
【０１１６】
【表３】
2004043668.tif 000020
【０１１７】
表３から明らかなように、本発明のインクは、比較のインクに比してインクの保存後のインクの平均粒子径変化率、インクの濾過性（即ち、インクの保存安定性）、また、インクの画像の色調、耐光性の面で優れていることがわかる。
【０１１８】
【発明の効果】
本発明により、色画像の耐光性に優れ、良好な色再現性のための色調に優れたインクジェット記録液、特に主な対象としてはマゼンタ色のインクジェット記録液を提供できる。またさらに、色画像の耐光性と色調の両立に加えてインクの長期使用を保証できる水系インクジェット記録液を提供できる。